(57)【要約】【課題】度の入った高価なレンズを数多く作る事無く、ワンタッチで交換可能なフレームに付け変えてＴ・Ｐ・Ｏに応じてお洒落を簡単に楽しめるようにする事。【解決手段】二枚の矯正用主レンズ（Ｌ）とレンズアッセンブリ（１２）からなる取り外し可能な内掛けタイプの主レンズアッセンブリ（１０）は、その左右両外側端部最端部に鉤状突起（１４）とその内側に磁石（１６）又は磁性体が各々設けられ、中間部はブリッジで連結され、その主レンズアッセンブリを内側に抱持する交換可能なフレームアッセンブリ（２０）は、フロントフレーム内側左右両端部に、前記主レンズアッセンブリの鉤状突起と磁石を同時に係止する磁石抱持突起部（２４）を各々有する様にし、ワンタッチで主レンズアッセンブリを付け替え可能とし、フレームアッセンブリを複数用意し交換可能にする。【選択図】図１
2008257148.tif 000002
【特許請求の範囲】
【請求項１】
二枚の矯正用主レンズとレンズアッセンブリからなる取り外し可能な内掛けタイプの主レンズアッセンブリは、その左右両外側端部最端部に鉤状突起とその内側に磁石又は磁性体が各々設けられ、中間部はブリッジで連結され、その主レンズアッセンブリを内側に抱持する交換可能なフレームアッセンブリは、フロントフレーム内側左右両端部に、前記主レンズアッセンブリの鉤状突起と磁石を同時に係止する磁石抱持突起部を各々有する様にされた事を特徴とする眼鏡アッセンブリ。
【請求項２】
前記主レンズアッセンブリのブリッジと、交換可能なフレームアッセンブリのブリッジ部に互いに係止可能な手段を有する事を特徴とする請求項１記載の眼鏡アッセンブリ。
【請求項３】
前記二枚の矯正用主レンズが各々独立した片方づつの単一のレンズアッセンブリとして形成され、交換可能なフレームアッセンブリの内側に各々が取り外し可能に連結される事を特徴とする請求項１記載の眼鏡アッセンブリ。
【請求項４】
前記交換可能なフレームアッセンブリのフロントフレームはレンズを有さない構造である事を特徴とする請求項１又は３に記載の眼鏡アッセンブリ。
【請求項５】
前記請求項１又は３に記載の少なくとも一つの主レンズアッセンブリと、複数の交換可能なフレームアッセンブリより構成される事を特徴とする眼鏡セット。
【発明の詳細な説明】
【技術分野】
【０００１】  本発明は、矯正用の主レンズに対し複数のフレームを付け替えれる眼鏡アッセンブリの構造及びその眼鏡セットにも関する。
【背景技術】
【０００２】  従来は、主眼鏡フレームと副眼鏡レンズ、例えばサングラスレンズ等を磁石で係止且つ着脱・交換可能にする眼鏡は数多く提案されてきている。例えば、副眼鏡レンズを前面に取り付けるものとしては、特開平０７−１２８６２０号が、内側に取り付けるものとしては特開２００３−２５５２８０号等が提案されている。【０００３】
【特許文献１】特開平０７−１２８６２０号
【特許文献２】特開２００３−２５５２８０号
【発明の開示】
【発明が解決しようとする課題】
【０００４】  しかし、上記前面に副眼鏡を取付ける場合も内側に取り付ける場合のいずれも、図３のように、眼鏡を掛ける際にテンプルを外側に押し広げると、前面（図無し）、内側の副眼鏡共に磁石の部分から離れて副眼鏡が外れてしまうことが多発していた。この場合度の入っていない副眼鏡であるので余り重大な問題にはならないが、これが度入りの主レンズであると大事となる。【０００５】  又、副眼鏡は常に掛けている訳ではなく、外している場合が殆どであり、外している場合は、矯正用のレンズが入っている主眼鏡レンズとそのフレームを常に掛けている状態となる。それは何時も同じデザインであり、Ｔ・Ｐ・Ｏで換える事は出来なかった。Ｔ・Ｐ・Ｏにマッチする様に、自分の眼にあった度入りや収差補正の付いたレンズとフレームを又別に作って置く事は高価に付く事となる。
【課題を解決するための手段】
【０００６】  そこで本発明に於いては上記課題を解決する為に、二枚の矯正用レンズとレンズアッセンブリからなる取り外し可能な内掛けタイプの主レンズアッセンブリは、その左右両外側端部最端部に鉤状突起とその内側に磁石又は磁性体が各々設けられ、中間部はブリッジで連結され、その主レンズアッセンブリを内側に抱持する交換可能なフレームアッセンブリは、フロントフレーム内側左右両端部に、前記主レンズアッセンブリの鉤状突起と磁石を同時に係止する磁石抱持突起部を各々有する様にし、先ず主レンズを外れ難い構造とした。【０００７】  次に更に、前記主レンズアッセンブリのブリッジと、交換可能なフレームアッセンブリのブリッジ部に互いに係止可能な手段を有する様にし更に外れ難くした。【０００８】  又、前記二枚の矯正用主レンズが各々独立した片方づつの単一のレンズアッセンブリとして形成され、交換可能なフレームアッセンブリの内側に各々が取り外し可能に連結される事を特徴とする眼鏡アッセンブリの提供も図った。【０００９】  そして、前記交換可能なフレームアッセンブリのフロントフレームはレンズを有さない構造にし安価に仕上がるようにした。【００１０】  そして、前記少なくとも一つの主レンズアッセンブリと、複数の交換可能なフレームアッセンブリより構成される眼鏡セットの提供を図った。
【発明の効果】
【００１１】  高価である矯正用のレンズを有する主レンズアッセンブリが外れ難くなり、複数の交換可能なフレームアッセンブリとの組合せにより、Ｔ・Ｐ・Ｏに応じたデザインの眼鏡を、いつも掛けている慣れたレンズで過ごす事が可能となった。しかも、取り外しの際はワンタッチで人為的には取り外す事が出来る。
【発明を実施するための最良の形態】
【００１２】  二枚の矯正用主レンズとレンズアッセンブリからなる取り外し可能な内掛けタイプの主レンズアッセンブリは、その左右両外側端部最端部に鉤状突起とその内側に磁石又は磁性体が各々設けられ、中間部はブリッジで連結され、その主レンズアッセンブリを内側に抱持する交換可能なフレームアッセンブリは、フロントフレーム内側左右両端部に、前記主レンズアッセンブリの鉤状突起と磁石を同時に係止する磁石抱持突起部を各々有する様にし、互いのブリッジ部に更に係止部分を設けた事を特徴とする眼鏡アッセンブリ。
【実施例１】
【００１３】  図１から図２は本発明の請求項１から２に関連する斜視図と説明用部分拡大斜視図であり、二枚の矯正用主レンズＬ，Ｌとレンズアッセンブリ１２からなる取り外し可能な内掛けタイプの主レンズアッセンブリ１０は、その左右両外側端部最端部に鉤状突起１４とその内側に磁石又は磁性体１６が各々設けられ、中間部はブリッジ１８で連結されている。その主レンズアッセンブリ１０を内側に抱持する交換可能なフレームアッセンブリ２０は、フロントフレーム２２内側左右両端部に、前記主レンズアッセンブリの鉤状突起１４と磁石１６を同時に係止する磁石抱持突起部２４を各々有する様にされており、更に主レンズアッセンブリ１０のブリッジ部１８とフレームアッセンブリ２０のブリッジ部２６には互いに係止出来る様に凹部１９とフック状突起２８が設けられている。【００１４】  図２に於いて、更に詳しく要部を説明すると、主レンズアッセンブリ１０ａの磁石１６ａと、交換可能なフレームアッセンブリ２０ａの磁石２４ａが吸着しあい、そして、吸着しあう事により自動的に主レンズアッセンブリの鉤状突起１４ａがフレームアッセンブリの磁石の台座２７の端部２９に嵌るようになり、テンプルＴが外側に開拡しそれにつれて主レンズフレームのヨロイ部２３が外側に反って磁石同士が外れようとしても、外れなくなる。これは主レンズフレームであるが故に前述した様に大事な事である。又、鉤状突起だけの連結では眼鏡を逆さにした場合等では主レンズフレームがフロントフレームから外れてしまう。両方の組合せ連結が好ましい事になる。【００１５】  図３は前述したように、互いに磁石同士のみで主レンズフレーム１０ｂとフレームアッセンブリ２０ｂが連結された場合であり、例えばテンプルＴが、眼鏡を掛ける際等に拡げられた場合の平面図であり、確実に磁石１６ｂと磁石２４ｂは外れてしまう。これでは高価な度入り又は収差補正レンズを入れた主レンズに落下による傷等がついてしまう。【００１６】  図４は請求項３に関連する斜視図であり、前記二枚の矯正用主レンズＬが各々独立した片方づつの単一のレンズアッセンブリ３０，３０ａとして形成され、その内側端部の嵌合用凹部３１，３１ａに交換可能なフレームアッセンブリ２０ｃのブリッジ２６ａの内側突起部３３，３３ａを嵌合する。そしてヨロイ部内側の磁石部２４ｃと単一レンズアッセンブリの磁石１６ｃとが、各々取り外し可能に連結されうる状態を表している。【００１７】  又、フレームアッセンブリの開口部にレンズ嵌合用の溝を切る必要も無いのでフレームアッセンブリのフロントフレーム２２，２２ａは金属板の打ち抜きでも良く安価に製造可能である。【００１８】  図５は請求項５に関連する説明図であり、少なくとも一つの主レンズアッセンブリ１０ｅと、複数の交換可能なフレームアッセンブリ２０ｅ，２０ｆ、２０ｇ等より構成される。これにより、いつも掛けている度入りや収差補正の入った高価なレンズ一つで、フレームを交換してＴ・Ｐ・Ｏに合わせる事が出来る。しかも内掛けであるので、外側のフレームアッセンブリの中に主レンズフレームは隠れるので、他人には同じものを掛けている事に気付かれずに済む。安価な費用でお洒落なフレームを沢山楽しめる事となる。
【図面の簡単な説明】
【００１９】
【図１】本発明の実施例の斜視図
【図２】本発明の実施例の部分拡大斜視図
【図３】説明用平面図
【図４】本発明の他の実施例の斜視図
【図５】本発明の実施例のセットの説明用図
【符号の説明】
１０            主レンズアッセンブリ
１２            レンズアッセンブリ
１４            主レンズアッセンブリ端部鉤状突起
１６            磁石または磁性体
１８            主レンズアッセンブリブリッジ
１９            主レンズアッセンブリブリッジ凹部
２０            フレームアッセンブリ
２２            フレームアッセンブリのフロントフレーム
２４            磁石抱持突起部
２６            フレームアッセンブリのブリッジ
２８            フレームアッセンブリのブリッジ後ろのフック状突起
３０            単一レンズアッセンブリ
３１            嵌合用凹部
３３            フレームアッセンブリブリッジ後ろの突起部
Ｌ              レンズ
Ｔ              テンプル
【図１】
2008257148.tif 000003
【図２】
2008257148.tif 000004
【図３】
2008257148.tif 000005
【図４】
2008257148.tif 000006
【図５】
2008257148.tif 000007